(57)【要約】【課題】決済カードを利用するユーザの利便性に優れ、かつ利用者にて決済オケージョンに応じた好適な決済サービスを提供できる動的決済処理システムを提供する。【解決手段】決済カード２を利用した決済に関する情報である決済情報を取得する決済情報取得部４０と、決済カード２を利用して決済を行う場面・状況に関する情報として設定される決済オケージョン情報、及び決済オケージョン情報と対応付けられた決済処理の内容についての情報である決済処理情報が記憶される決済処理情報管理部４５と、決済処理情報管理部４５に記憶される決済処理情報から決済情報取得部４０が取得した決済情報が満たす決済オケージョン情報に対応する決済処理情報を取得する決済処理情報取得部４６と、決済処理情報取得部４６が取得した決済処理情報に基づいて決済処理を行う決済処理部４７と、を具備してなる。【選択図】図１
2020198091.tif 000002
【特許請求の範囲】
【請求項１】
決済オケージョンに応じて決済処理の内容を変動させる動的決済処理システムであって、
決済カードを利用した決済に関する情報である決済情報を取得する決済情報取得手段と、
決済カードを利用した決済に関する履歴情報が記憶される履歴情報管理手段と、
決済カードを利用して決済を行う決済オケージョンに関する情報として、複数の決済オケージョンが組み合わされ、同じカテゴリの決済オケージョンについて決済カードの利用場面又は利用状況の順序を定めた条件が設定される決済オケージョン情報、及び決済オケージョン情報と対応付けられた決済処理の内容についての情報として、決済カードの利用場面又は利用状況の順序に応じて決済カードを利用して決済を行うユーザにとって有利な処理が設定される決済処理情報が記憶される決済処理情報管理手段と、
前記決済情報取得手段が取得した決済情報及び前記履歴情報管理手段から取得した履歴情報に基づいて、前記決済処理情報管理手段に設定された決済オケージョンを満たす情報を抽出し、前記決済処理情報管理手段から該情報が満たす決済オケージョン情報に対応する決済処理情報を取得する決済処理情報取得手段と、
前記決済処理情報取得手段が取得した決済処理情報に基づいて決済処理を行う決済処理手段と、
を具備してなることを特徴とする動的決済処理システム。
【請求項２】
前記決済処理情報管理手段は、決済カードを利用して決済を行う決済オケージョンに関する情報として決済カードを利用して決済を行う位置に関する情報を含み、決済を行う位置の順序を定めた条件が設定される決済オケージョン情報が記憶される請求項１に記載の動的決済処理システム。
【請求項３】
前記決済処理情報管理手段は、決済カードを利用して決済を行う決済オケージョンに関する情報として決済カードを利用して決済を行うカード利用の内容に関する情報を含み、カード利用の内容の順序を定めた条件が設定される決済オケージョン情報が記憶される請求項１又は請求項２に記載の動的決済処理システム。
【請求項４】
前記決済処理情報管理手段は、決済カードを利用して決済を行う決済オケージョンに関する情報として他の決済カードを利用して決済を行うカード利用の内容に関する情報を含み、利用する決済カードの順序を定めた条件が設定される決済オケージョン情報が記憶される請求項１乃至請求項３のいずれか一項に記載の動的決済処理システム。
【請求項５】
前記決済処理情報は、決済カードのユーザであることの証明度合いを変更する処理を含む請求項１乃至請求項４のいずれか一項に記載の動的決済処理システム。
【請求項６】
前記決済処理情報は、決済カードを利用した支払金額に対する割引率を変更する処理を含む請求項１乃至請求項５のいずれか一項に記載の動的決済処理システム。
【請求項７】
前記決済処理情報は、決済カードが電子マネーカードである場合に、電子マネーの利用枠を変更する処理を含む請求項１乃至請求項６のいずれか一項に記載の動的決済処理システム。
【請求項８】
前記決済処理情報は、カジノ施設でのゲーム機で発生した賞金払い戻しの利率を変更する処理を含む請求項１乃至請求項７のいずれか一項に記載の動的決済処理システム。
【発明の詳細な説明】
【技術分野】
【０００１】
本発明は、動的決済処理システムに関し、より詳細には、決済オケージョンに応じて決済処理の内容を変動させる動的決済処理システムに関する。
【背景技術】
【０００２】
従来、決済カードを利用した現金によらない決済サービスとして、クレジットカードによるクレジット決済、電子マネーによる電子マネー決済、ポイント決済等の決済手段を運用する決済処理システムが公知である。通常、この種の決済処理システムでは、磁気ストライプカードやＩＣカード（接触型ＩＣカード又は非接触型ＩＣカード）等の決済カードが店舗に設置された決済用の決済端末装置に読み取られることで、クレジット会社や電子マネー会社等のホストコンピュータと店舗に設置された端末がネットワークを介して接続されて決済処理が行われる。
【０００３】
例えば、電子マネー決済を運用する決済処理システムでは、ＩＣチップを組み込んだ非接触型ＩＣカードに貨幣価値をデジタルデータ化したもの（電子マネー）が電子マネー情報として記憶され、商品取引やサービス提供に応じて加減自在に更新することにより、決済手段として現金での支払いと同じように決済処理が行われる。かかる決済処理システムでは、商品購入の支払金額の決済時に、決済カードから電子マネー情報を読み出して支払金額に相当する貨幣価値分を減算し、当該カードの記憶部に書き込まれている電子マネー情報を減算後の電子マネー情報へ更新することにより支払金額の決算処理が行われる。
【０００４】
上述した決済カードを利用した決済処理システムでは、通常、カード会社・電子マネー会社の種類や利用する店舗等によって、得られるサービス・特典の種類等が異なるため、決済カードを利用して決済を行うユーザは、磁気ストライプカードやＩＣカード等の複数の決済カードを持参し、商品購入や支払いの環境に応じて決済時に利用する決済カードの種類を使い分けるのが一般的である。そのため、例えば、決済において希望する決済カードを持参するのを忘れた場合はサービスや特典を受けることができず、また決済カードの選択によってはユーザにとって好適な決済サービスを受けることができない等の不利益を被る場合があった。
【０００５】
かかる観点から、例えば、特許文献１に開示されるように、複数のクレジットカードを一つのカード媒体に統合した決済カード（統合クレジットカード）を利用して、ユーザが設定したルールに従って実際の決済に利用するクレジットカードが自動的に選択されるようにした決済処理システムや、特許文献２に開示されるように、複数の電子マネー種を記憶したＩＣカードを利用して、決済時に好適な電子マネー種を選択するようにした決済処理システム等が提案されている。
【０００６】
しかしながら、上述した特許文献１又は特許文献２に開示される従来の決済処理システムでは、一つの決済カードに複数のクレジット決済や電子マネー決済の機能を持たせることで、複数の決済カードを管理して持ち歩く必要がないという問題は解消されるが、クレジット決済や電子マネー決済における決済処理の内容は決済手段毎に決められるため、支払金額からの割引やポイント付与等な決済サービスを受けるためには、予め一つの決済カードに対応する複数の決済カードや電子マネー種を登録しておかなければならならず、事前の登録・設定が煩わしくユーザの利便性が損なわれているという問題があった。また、決済処理システムの利用者の立場から見れば、ユーザが決済を行う場面や状況などに応じた好適な決済サービスを提供できないという問題もあった。
【先行技術文献】
【特許文献】
【０００７】
【特許文献１】特開２０１１−６５１９９号公報
【特許文献２】特開２０１３−１４５６００号公報
【発明の概要】
【発明が解決しようとする課題】
【０００８】
そこで、本発明では、動的決済処理システムに関し、前記従来の課題を解決するもので、決済カードを利用するユーザの利便性に優れ、かつ利用者にて決済オケージョンに応じた好適な決済サービスを提供できる動的決済処理システムを提供することを目的とする。
【課題を解決するための手段】
【０００９】
本発明の解決しようとする課題は以上の如くであり、次にこの課題を解決するための手段を説明する。
【００１０】
すなわち、請求項１においては、決済オケージョンに応じて決済処理の内容を変動させる動的決済処理システムであって、決済カードを利用した決済に関する情報である決済情報を取得する決済情報取得手段と、決済カードを利用した決済に関する履歴情報が記憶される履歴情報管理手段と、決済カードを利用して決済を行う決済オケージョンに関する情報として、複数の決済オケージョンが組み合わされ、同じカテゴリの決済オケージョンについて決済カードの利用場面又は利用状況の順序を定めた条件が設定される決済オケージョン情報、及び決済オケージョン情報と対応付けられた決済処理の内容についての情報として、決済カードの利用場面又は利用状況の順序に応じて決済カードを利用して決済を行うユーザにとって有利な処理が設定される決済処理情報が記憶される決済処理情報管理手段と、前記決済情報取得手段が取得した決済情報及び前記履歴情報管理手段から取得した履歴情報に基づいて、前記決済処理情報管理手段に設定された決済オケージョンを満たす情報を抽出し、前記決済処理情報管理手段から該情報が満たす決済オケージョン情報に対応する決済処理情報を取得する決済処理情報取得手段と、前記決済処理情報取得手段が取得した決済処理情報に基づいて決済処理を行う決済処理手段と、を具備してなるものである。
【００１１】
請求項２においては、前記決済処理情報管理手段は、決済カードを利用して決済を行う決済オケージョンに関する情報として決済カードを利用して決済を行う位置に関する情報を含み、決済を行う位置の順序を定めた条件が設定される決済オケージョン情報が記憶されるものである。
【００１２】
請求項３においては、前記決済処理情報管理手段は、決済カードを利用して決済を行う決済オケージョンに関する情報として決済カードを利用して決済を行うカード利用の内容に関する情報を含み、カード利用の内容の順序を定めた条件が設定される決済オケージョン情報が記憶されるものである。
【００１３】
請求項４においては、前記決済処理情報管理手段は、決済カードを利用して決済を行う決済オケージョンに関する情報として他の決済カードを利用して決済を行うカード利用の内容に関する情報を含み、利用する決済カードの順序を定めた条件が設定される決済オケージョン情報が記憶されるものである。
【００１４】
請求項５においては、前記決済処理情報は、決済カードのユーザであることの証明度合いを変更する処理を含むものである。
【００１５】
請求項６においては、前記決済処理情報は、決済カードを利用した支払金額に対する割引率を変更する処理を含むものである。
【００１６】
請求項７においては、前記決済処理情報は、決済カードが電子マネーカードである場合に、電子マネーの利用枠を変更する処理を含むものである。
【００１７】
請求項８においては、前記決済処理情報は、カジノ施設でのゲーム機で発生した賞金払い戻しの利率を変更する処理を含むものである。
【発明の効果】
【００１８】
本発明の効果として、決済カードを利用するユーザの利便性に優れ、かつ利用者にて決済オケージョンに応じた好適な決済サービスを提供できる。
【図面の簡単な説明】
【００１９】
【図１】本発明の一実施例に係る動的決済処理システムの全体的な構成を示した機能ブロック図である。
【図２】決済端末装置が設置される施設エリアを示した図である。
【図３】属性情報管理テーブルを示した図である。
【図４】履歴情報管理テーブルを示した図である。
【図５】決済情報管理テーブルの一例を示した図である。
【図６】決済情報管理テーブルの一例を示した図である。
【図７】決済情報管理テーブルの一例を示した図である。
【図８】決済情報管理テーブルの一例を示した図である。
【図９】決済情報管理テーブルの一例を示した図である。
【図１０】決済情報管理テーブルの一例を示した図である。
【図１１】決済情報管理テーブルの一例を示した図である。
【図１２】本実施例の動的決済処理の全体的な流れを説明するフローチャートである。
【図１３】決済処理情報取得工程の流れを説明するフローチャートである。
【図１４】決済処理工程の流れを説明するフローチャートである。
【図１５】別実施例の動的決済処理システムの全体的な構成を示した機能ブロック図である。
【図１６】別実施例の決済情報管理テーブルの一例を示した図である。
【図１７】別実施例の動的決済処理システムの全体的な構成を示した機能ブロック図である。
【図１８】別実施例の決済端末装置が設置される施設エリアを示した図である。
【図１９】別実施例の動的決済処理システムのカジノ施設装置の構成を示した機能ブロック図である。
【図２０】別実施例の決済情報管理テーブルの一例を示した図である。
【図２１】別実施例の決済情報管理テーブルの一例を示した図である。
【図２２】別実施例の決済情報管理テーブルの一例を示した図である。
【発明を実施するための形態】
【００２０】
次に、発明を実施するための形態を説明する。
【００２１】
まず、本実施例の動的決済処理システム１の構成について、以下に説明する。
図１及び図２に示すように、本実施例の動的決済処理システム１は、決済カード２を利用して電子マネー決済を運用し、観光施設、ホテル・量販店・レストラン・コンビニエンスストアの商業施設、医療施設、及びバス・鉄道・飛行機等のインフラ施設等で決済を行う際に、決済オケージョンに応じて決済処理の内容を変動させる決済処理システムとして構成されており、具体的には、決済カード２、決済カード２と情報の授受を行う決済端末装置３、及び決済端末装置３と通信ネットワーク１０を介して通信可能に接続される決済処理装置４等で構成されている。
【００２２】
通信ネットワーク１０は、インターネット接続を含む有線回線、ＣＡＴＶ（ｃａｂｌｅ  ｔｅｌｅｖｉｓｉｏｎ）回線、その他の通信回線網をいう。通信ネットワーク１０は、一部又は全部をＶＰＮ（Ｖｉｒｔｕａｌ  Ｐｒｉｖａｔｅ  Ｎｅｔｗｏｒｋ）等の所定の専用通信回線としたり、通信データの暗号化技術等を用いたりすることで、通信ネットワーク１０のセキュリティ性をより高めることができる。
【００２３】
図１に示すように、決済カード２は、商品取引やサービス提供に応じた代金の決済に利用されるカードである。本実施例の決済カード２は、一例として、ＩＣチップが組み込まれた非接触型の電子マネーカードとして構成され、カード識別情報やユーザ識別情報等のカード情報が記憶されるカード情報記憶部２０が設けられている。カード情報記憶部２０は、例えば、決済カード２に取り付けられたＩＣチップ等としてカード情報が読み取り可能に記憶される。
【００２４】
カード識別情報は、決済カード２を特定する情報であり、決済カード２のカードＩＤや、決済カード２のカードＩＤとセキュリティコードとの組合せや、決済カード２に記憶されているコード等が含まれる。カードＩＤは、決済カード２を識別するために更新することができないようにしてもよく、組み込まれるＩＣチップに予め付与された番号をそのまま使用するか、独自に管理し易い番号を新たに付与するようにしてもよい。
【００２５】
ユーザ識別情報は、決済カード２を利用して決済を行うユーザを特定する情報であり、例えば、ユーザ毎に設定されるユーザＩＤの他、ユーザの氏名、携帯電話番号、及びメールアドレス等が含まれる。
【００２６】
カード情報記憶部２０には、ユーザ識別情報としてユーザのパスポート情報を含む身分証明情報が記憶されてもよい。身分証明情報は、パスポートナンバー、氏名、国籍、及び生年月日等のパスポートに記載される情報が含まれ、各施設での決済時にユーザの身分を証明する情報として利用するようにしてもよい。
【００２７】
本実施例の動的決済処理システム１では、決済カード２にはカード情報として電子マネー情報を有さず、決済処理装置４（カード情報管理部４２）に電子マネー情報が記憶されて管理されるように構成されている（図１２等参照）。決済処理装置４に記憶される電子マネー情報は、専用端末（電子マネー用のリーダ／ライタ）等を介して現金又は取引登録されたクレジットカード等よりチャージ（増額）可能とされる。
【００２８】
決済カード２は、必ずしも外観がカード形状を有していなくてもよく、例えば、決済カード２と同様の情報を有する携帯電話や携帯情報端末等を決済カードと考えてもよい。
【００２９】
図１及び図２に示すように、決済端末装置３は、決済カード２で決済を行うための端末（情報通信端末）として構成され、通常、ＣＰＵやメモリ等からなる制御装置、表示装置、入力装置、及び記憶装置等を具備してなり、ＣＰＵにてプログラムが実行されて情報処理されることにより各処理部での機能が実現されるように構成される。決済端末装置３は、通信ネットワーク１０を介して後述する決済処理装置４と通信可能に接続され、カード情報取得部３０、カード利用情報取得部３１、及び端末識別情報記憶部３２等が設けられている。
【００３０】
決済端末装置３は、決済カード２を用いた決済が可能な複数の施設（又は施設内の店舗）にそれぞれ設置され、具体的には、主に観光施設がある区域としての観光施設エリアＡ、主にホテル・量販店・レストラン・コンビニエンスストア等がある区域としての商業施設エリアＢ、主に病院がある区域としての医療施設エリアＣ、及びバスや鉄道等がある区域としてのインフラ施設エリアＤのカウンタ等に設置され（図２参照）、決済処理装置４と接続された状態で商品取引やサービス提供に応じた代金の支払い会計の際に決済処理を行うものとして構成される。
【００３１】
カード情報取得部３０は、決済カード２のカード情報を取得するカードリーダ装置等、通常この種の決済処理システムで用いられる公知のカード情報取得装置として構成される。
【００３２】
カード利用情報取得部３１は、決済カード２を利用して行われたカード利用の内容に関する情報であるカード利用情報を取得する入力装置として構成され、バーコードリーダ、テンキー、及びキーボード等の入力デバイスの他、通信手段のデバイスドライバーやメニュー画面の制御ソフトウェア等で実現されるものである。
【００３３】
カード利用情報は、例えば、商品やサービスの支払金額、商品やサービスの種類（商品・サービス名又は商品・サービス番号）、及び商品やサービスの数量等に関する情報を含むものである。また、決済カード２を利用した日時に関する情報である利用日時情報を有してもよい。ここでの利用日時情報は、決済カード２を利用して決済が行われた日付だけでなく、決済が行われた時間や曜日等を示す情報も含む概念である。
【００３４】
端末識別情報記憶部３２は、決済端末装置３毎の端末識別情報が記憶される。端末識別情報は、例えば、決済端末装置３（カード情報取得部３０）毎に設定される端末ＩＤの他、施設名、施設住所、施設の電話番号、施設のメールアドレス、及び緯度と経度とを組み合わせた座標等を含んでもよい。端末識別情報は、決済カード２を利用して決済を行う位置に関する情報である位置情報として、後述する決済処理装置４の決済情報取得部４０（位置情報取得部４１）にて取得される。
【００３５】
決済端末装置３では、商品取引やサービス提供に応じた代金の支払いの際に、カード情報取得部３０にて読み取られたカード情報（カード識別情報等）とともに、カード利用情報取得部３１にて取得されたカード利用情報、及び端末識別情報記憶部３２に記憶された端末識別情報等の決済情報が、通信ネットワーク１０を介して後述する決済処理装置４に決済処理要求とともに送信され、決済処理装置４にて所定の決済処理が行われる（図１２等参照）。また、決済処理装置４にて決済処理が完了すると、決済処理装置４より決済報告（決済処理結果）を受信する。
【００３６】
図１及び図２に示すように、決済処理装置４は、Ｗｅｂサーバ、アプリケーションサーバ及びデータベース等からなるサーバ装置として構成され、ＣＰＵや主メモリ等からなる制御装置、入力装置、及び記憶装置等を具備してなり、ＣＰＵにてプログラムが実行されて情報処理されることにより各処理部での機能が実現されるように構成されている。本実施例の決済処理装置４は、決済情報取得部４０、位置情報取得部４１、カード情報管理部４２、属性情報管理４３、履歴情報管理部４４、決済処理情報管理部４５、決済処理情報取得部４６、決済処理部４７、及び出力部４８等が設けられている。
【００３７】
決済情報取得部４０は、決済情報取得手段として構成されるものであり、決済端末装置３より送信されたカード情報、カード利用情報、及び位置情報等を決済情報として取得する。
【００３８】
位置情報取得部４１は、決済情報取得手段として決済情報取得部４０に設けられ、決済カード２を利用して決済を行う位置に関する情報である位置情報を決済情報として取得する。位置情報は、所定のユーザが決済カード２を利用して所定の決済端末装置３にて決済を行う際の位置を特定するための情報であり、本実施例では、決済端末装置３より送信された端末識別情報を位置情報として取得する。
【００３９】
位置情報としては、上述した端末識別情報の他、決済カード２の位置やユーザの位置等に関する情報であってもよい。例えば、決済カード２又は決済端末装置３が図示せぬＧＰＳ情報取得装置にてＧＰＳ信号を受信可能に構成され、位置情報取得部４１にて、ＧＰＳ信号に含まれる緯度と経度とを組み合わせた空間情報等を位置情報として取得するようにしてもよい。決済端末装置３が移動体（例えば、鉄道、飛行機、移動式店舗）に設置される場合には、位置情報として、決済端末装置３の空間情報を取得するか、又は決済端末装置３の端末識別情報を取得するか、いずれか好ましい情報を選択するようにしてもよい。
【００４０】
位置情報としては、決済カード２又は決済端末装置３以外の装置であって、例えば、監視カメラ、人感センサ、照明等の固定設置物や、無人飛行機等の移動体に設けられた位置情報取得部４１にて、外部装置や外部ネットワークから取得される空間情報や移動（導線）情報であってもよい。
【００４１】
カード情報管理部４２は、決済カード２のカード情報が記憶されるデータベース等として構成され、本実施例では、電子マネー情報記憶部として貨幣価値をデジタルデータ化した電子マネー情報が記憶される。カード情報管理部４２には、ユーザに関する詳細情報として、ユーザＩＤ、身分証明情報、パスワード（暗証番号）、指紋や瞳の中の虹彩等の生体認証情報、年収、勤務先、勤続年数、配偶者の有無、及び救命救急のためのメディカルデータ（薬名、持病の有無、血液型の詳細）等の情報が記憶されてもよい。
【００４２】
カード情報管理部４２には、決済カード２のカード識別情報としての「カードＩＤ」とともに、電子マネー情報としての「電子マネー残高」、ポイント情報としての「ポイント残高」、及びクーポン情報としての「クーポン種類」等が記憶される。「電子マネー残高」及び「ポイント残高」等は、決済処理部４７にて決済処理が行われることで更新される。
【００４３】
属性情報管理４３は、決済カード２を利用して決済を行う決済情報の属性に関する情報である属性情報が記憶されるデータベース等として構成される。属性情報としては、例えば、位置情報の場合には、空間上の特定の地点又は区域（エリア）を示す情報として、ユーザの行動履歴や外部機関（外部情報システム）からの統計情報等に基づいて地図データ上に形成される地理上の仮想境界（ジオフェンス）等として設定され、一つ又は複数のグループに分けて記憶される。このように位置情報の属性に関する情報を設定することで、位置情報により特定される空間上の特定の地点又は区域に応じた決済オケージョンに基づく決済処理が可能となり、決済処理情報の設定が容易で情報管理を簡素化できる。
【００４４】
属性情報としては、上述した位置情報だけでなく、例えば、他の決済情報（カード情報及びカード利用情報）や、決済カード２を利用して決済を行う位置に関する履歴（位置履歴情報）、決済カード２を利用して決済を行うカード利用の内容に関する履歴（カード利用履歴情報）、他の決済カードを利用して決済を行うカード利用の内容に関する履歴（他カード利用履歴情報）、及び後述する決済カード２を利用した決済に影響を及ぼす環境因子（環境因子情報）等の属性に関する情報として、各種情報を一つ又は複数にグループ化して設定してもよい。
【００４５】
図３に一例として示すように、本実施例の属性情報管理４３には、図２に示した観光施設エリアＡ、商業施設エリアＢ、医療施設エリアＣ、及びインフラ施設エリアＤ等の各施設エリアＡ〜Ｄにおいて、決済端末装置３が当該区域に設置されていることを示す属性情報としての「エリアコード：ａ〜ｄ」が端末識別情報としての「端末ＩＤ：ＡＡＡ〜ＤＤＤ」毎に対応付けられて登録された属性情報管理テーブルＴ１が記憶される。
【００４６】
履歴情報管理部４４は、決済カード２を利用した決済に関する履歴情報を記憶するデータベース等として構成される。履歴情報管理部４４には、上述した決済情報取得部４０（位置情報取得部４１）にて取得されたカード情報、カード利用情報、及び位置情報（端末識別情報）が履歴情報として順次記憶される。履歴情報は、決済端末装置３より送信されたカード利用情報に含まれる支払金額、商品やサービスの種類（識別情報）、商品やサービスの数量等に関する情報、及び累積支払金額や決済回数等に関するグロス情報等が含まれ、ユーザ識別情報及び／又はカード識別情報に対応付けられて記憶される。
【００４７】
履歴情報としては、決済カード２を利用して決済を行うカード利用の内容に関する情報であるカード利用履歴情報、決済カード２を利用して決済を行う位置履歴に関する情報である位置履歴情報、及び決済カード２以外の他の決済カードを利用して決済を行うカード利用の内容に関する情報である他カード利用履歴情報等が含まれてもよい。
【００４８】
図４に一例として示すように、本実施例の履歴情報管理部４４には、「ユーザＩＤ」及び「カードＩＤ」とともに、履歴情報としての「端末ＩＤ」、「支払金額」、「商品・サービス名」、及び「利用日時」等が登録される履歴情報管理テーブルＴ２が記憶される。
【００４９】
決済処理情報管理部４５は、決済カード２を利用して決済を行う場面・状況（決済オケージョン）に関する所定の情報として設定される決済オケージョン情報、及び決済オケージョン情報と対応付けられた決済処理の内容に関する情報である決済処理情報が記憶されるデータベース等として構成される。決済処理情報管理部４５には、一又は複数の場面・状況に関する条件を有する決済オケージョン情報が記憶され、決済オケージョン情報に対応する一又は複数の決済処理の内容を有する決済処理情報が記憶される。
【００５０】
決済オケージョン情報は、場面・状況（決済オケージョン）に関する条件に関する情報であり、決済処理情報を取得するために利用される各種の情報が設定される。決済オケージョン情報としては、決済カード２の利用場面や利用状況を示すデータとして、「どこで利用したか（場所）」、「誰が又は誰と利用したか（対象）」、「何の決済に利用したか（課題）」、「いつ利用したか（時期）」、「どのように利用したか（手段）」、「どれくらい利用したか（規模）」、「なぜ利用したか（動機）」等に関する一つ又は複数の情報が含まれ、例えば、決済情報（含む位置情報）の他、決済カード２を利用して決済を行う位置に関する履歴（位置履歴情報）、決済カード２を利用して決済を行うカード利用の内容に関する履歴（カード利用履歴情報）、他の決済カードを利用して決済を行うカード利用の内容に関する履歴（他カード利用履歴情報）、及び後述する決済カード２を利用した決済に影響を及ぼす環境因子（環境因子情報）等の中から選ばれた一又は複数の条件が組み合わされる。
【００５１】
決済オケージョン情報は、動的決済処理システム１の管理者や決済カード２を利用して決済を行うユーザ等にて予め設定される他、変数やその一部等を利用して決済処理情報を得るために、一以上の関数や、メソッド名や、制御構文やアルゴリズム等の予め用意された情報を用いて生成されてもよい。
【００５２】
決済処理情報は、決済を行うユーザに特別に与えられる待遇や特典等の決済処理の内容に関する情報を含むものである。決済処理の内容としては、決済カード２の認証レベルを変更する処理、決済カード２を利用した支払金額の割引率を変更する処理、購入した商品又はサービスのアップグレード処理、ポイント付与の処理、クーポン発行の処理、及びユーザステータスを上位のステイタスに変更する処理の他、例えば、出力方法としての請求書の発行に関する処理や、個人情報出力の有無に関する処理等が含まれてもよい。
【００５３】
図５乃至図１１に一例として示すように、本実施例の決済処理情報管理部４５には、「端末ＩＤ」、「エリアコード」、「支払金額」、「商品・サービス名」、及び「利用日時」等の各種の決済オケージョン情報が登録され、この決済オケージョン情報に対応付けられた決済処理情報として、決済カード２のユーザであることの証明度合いを示す「認証レベル」、支払金額に対する割引率を示す「割引率」、及び決済時に与されるポイントの内容を示す「ポイント付与」等の決済処理の内容が登録される決済情報管理テーブルＴ３が記憶される。
【００５４】
「認証レベル」は、例えば、カードＩＤのみでの認証が可能な証明度合いの低い「簡易認証」から、ユーザＩＤでの認証を要する「ユーザＩＤ認証」、パスワードでの認証を要する「パスワード認証」、及び指紋や瞳の中の虹彩等の生体認証情報での認証する「生体認証」等として証明度合いに応じてそれぞれ設定される。これらの認証レベルは、後述する決済処理部４７にて、上述したカード情報管理部４２に記憶されるカード情報と対比されることで認証処理が行われる。このように、決済処理情報が決済カード２のユーザであることの証明度合いを変更する処理を含むことで、施設や区域における決済オケージョン（例えば、決済対象である商品やサービスの種類等）に応じて認証レベルを変動させることができ、決済カード２を利用するユーザに対する利便性を損なうことなく決済情報等の保守管理を徹底できる。
【００５５】
「割引率」は、決済時の支払金額に対する百分率による割引率（％）として表され、例えば、「３％」、「５％」、「１０％」、「２０％」、及び「３０％」等として設定される。このように、決済処理情報が決済カード２を利用した支払金額に対する割引率を変更する処理を含むことで、施設や区域における決済オケージョン（例えば、決済対象である商品やサービスの種類等）に応じて、決済カード２を利用するユーザに対して好適な決済サービスを提供できる。
【００５６】
「ポイント付与」は、決済時の支払金額に対して任意に設定されるポイント割合として表され、例えば、「２倍」、及び「３倍」等として設定される。なお、「ポイント付与」は、特定の施設内のみ利用可能なポイントとして「施設内ポイント付与」が設定されてもよい。
【００５７】
例えば、図５に示す決済情報管理テーブルＴ３には、「エリアコード：ａ」、「エリアコード：ｂ」、及び「エリアコード：ｄ」の決済オケージョン情報に対応する決済処理情報として「認証レベル：簡易認証」が設定され、「エリアコード：ｃ」の決済オケージョン情報に対応する決済処理情報として「認証レベル：パスワード認証」が設定されている。このように、異なる決済オケージョン（「エリアコード」）ごとに異なる決済処理（「認証レベル」）が設定されてもよい。
【００５８】
また、図６に示す決済情報管理テーブルＴ３には、「エリアコード：ｂ」及び「支払金額：５千円未満」の決済オケージョン情報に対応する決済処理情報として「認証レベル：簡易認証」が設定され、「エリアコード：ｂ」及び「支払金額：５千円以上１万円未満」の決済オケージョン情報に対応する決済処理情報として「認証レベル：ユーザＩＤ認証」が設定され、「エリアコード：ｂ」及び「支払金額：１万円以上」の決済オケージョン情報に対応する決済処理情報として「認証レベル：パスワード認証」が設定されている。このように、複数の決済オケージョンの組み合わせ（「エリアコード」、「支払金額」）に応じて異なる決済処理（「認証レベル」）が設定されてもよい。かかる場合は、決済カード２を利用するユーザは、商業施設エリアＢでの支払金額が５千円未満の場合は簡易認証でよいが、同じ商業施設エリアＢでの支払金額が５千円以上１万円未満の場合はユーザＩＤ認証、及び支払金額が１万円以上の場合はパスワード認証がそれぞれ要求される。
【００５９】
また、図７に示す決済情報管理テーブルＴ３には、「エリアコード：ａ」及び「商品・サービス名：飲料ＡＡ」の決済オケージョン情報に対応する決済処理情報として「割引率：３％」が設定され、「エリアコード：ｂ」及び「商品・サービス名：飲料ＡＡ」の決済オケージョン情報に対応する決済処理情報として「割引率：５％」が設定され、「エリアコード：ｂ」及び「商品・サービス名：飲料ＢＢ」の決済オケージョン情報に対応する決済処理情報として「割引率：１０％」、及び「ポイント付与：２倍」が設定されている。このように、複数の決済オケージョンの組み合わせ（「エリアコード」、「商品・サービス名」）に応じて異なる複数の決済処理の組み合わせ（「割引率」、「ポイント付与」）が設定されてもよい。かかる場合は、決済カード２を利用するユーザは、観光施設エリアＡで飲料ＡＡを購入する場合は割引率３％であるが、商業施設エリアＢで同じ飲料ＡＡを購入する場合は割引率５％の特典を受けることができる。また、同じ商業施設エリアＢであっても飲料ＡＡとは異なる飲料である飲料ＢＢを購入する場合はさらに割引率１０％、ポイント付与２倍の特典を受けることができる。
【００６０】
また、図８に示す決済情報管理テーブルＴ３には、「エリアコード：ｂ」、「商品名：飲料ＢＢ」及び「利用日時：ｙｙ年ｍｍ月ｄｄ日１３：００〜１７：００」の決済オケージョン情報に対応する決済処理情報として「割引率：１０％」が設定されている。かかる場合も上記と同様に、複数の決済オケージョンの組み合わせ（「エリアコード」、「商品名」、「利用日時」）に応じて異なる決済処理（「割引率」）が設定される場合であり、決済カード２を利用するユーザは、商業施設エリアＢで飲料ＢＢを購入する場合であっても、特定の利用日時（ｙｙ年ｍｍ月ｄｄ日１３：００〜１７：００）には、割引率１０％の特典を受けることができる。
【００６１】
また、図９に示す決済情報管理テーブルＴ３には、「端末ＩＤ：ＡＡＡ→ＢＢＢ」の決済オケージョン情報に対応する決済処理情報として「割引率：５％」が設定され、「端末ＩＤ：ＡＡＡ→ＤＤＤ→ＢＢＢ」の決済オケージョン情報に対応する決済処理情報として「割引率：１０％」が設定されている。このように、位置履歴を含む決済オケージョン（「端末ＩＤ」）に応じて異なる決済処理（「割引率」）が設定されてもよい。かかる場合は、決済カード２を利用するユーザは、観光施設エリアＡの特定の施設（端末ＩＤ：ＡＡＡ）にて決済を行った後に、商業施設エリアＢの特定の施設（端末ＩＤ：ＢＢＢ）で決済を行う場合は割引率５％の特典を受けることができ、さらに観光施設エリアＡの特定の施設にて決済を行った後、インフラ施設エリアＤの施設（端末ＩＤ：ＤＤＤ）にて決済し、その後商業施設エリアＢの特定の施設（端末ＩＤ：ＢＢＢ）で決済を行う場合は割引率１０％の特典を受けることができる。
【００６２】
また、図１０に示す決済情報管理テーブルＴ３には、「エリアコード：ｂ」及び「商品・サービス名：雑誌ＣＣ→レコードＤＤ」の決済オケージョン情報に対応する決済処理情報として「割引率：５％」が設定され、「エリアコード：ｂ」及び「商品・サービス名：雑誌ＣＣ→映画チケットＥＥ」の決済オケージョン情報に対応する決済処理情報として「割引率：１０％」が設定されている。このように、カード利用履歴を含む決済オケージョンの組み合わせ（「エリアコード」、「商品・サービス名」）に応じて異なる決済処理（「割引率」）が設定されてもよい。かかる場合は、商業施設エリアＢで決済カード２を利用するユーザは、雑誌ＣＣを購入した後にレコードＤＤを購入する場合は割引率５％の特典を受けることができ、雑誌ＣＣを購入した後に映画チケットＥＥを購入する場合は割引率１０％の特典を受けることができる。
【００６３】
また、図１１に示す決済情報管理テーブルＴ３には、「エリアコード：ｂ」、「カードＩＤ：１１１→２２２」及び「商品・サービス名：映画ケットＥＥ」の決済オケージョン情報に対応する決済処理情報として「割引率：５％」が設定され、「エリアコード：ｂ」、「カードＩＤ：１１１→２２２→３３３」及び「商品・サービス名：映画チケットＥＥ」の決済オケージョン情報に対応する決済処理情報として「割引率：１０％」が設定されている。このように、他カード利用履歴を含む決済オケージョンに応じて異なる決済処理（「割引率」）が設定されてもよい。かかる場合は、商業施設エリアＢで決済カードを利用するユーザは、所定の決済カード（カードＩＤ：１１１）を利用して映画チケットＥＥを購入した後に、他のユーザ等が他の決済カード（カードＩＤ：２２２）を利用して連続して映画チケットＥＥを購入する場合はグループ割引として割引率５％の特典を受けることができ、さらに続いて更に他のユーザが他の決済カード（カードＩＤ：３３３）を利用して映画チケットＥＥを購入する場合は更に割引率１０％の特典を受けることができる。
【００６４】
図１に戻って、決済処理情報取得部４６は、決済処理情報管理部４５に記憶される決済処理情報から、決済情報取得部４０（位置情報取得部４１）が取得した決済情報等が満たす決済オケージョン情報に対応する決済処理情報を取得する。決済処理情報取得部４６は、決済情報取得部４０（位置情報取得部４１）が取得したカード情報、カード利用情報、及び位置情報の他に、属性情報管理部４３に記憶される属性情報、並びに履歴情報管理部４４に記憶される履歴情報等の各情報に基づいて、決済処理情報管理部４５の決済情報管理テーブルＴ３に登録された決済オケージョン情報に対応する決済処理情報を取得する。
【００６５】
具体的には、決済処理情報取得部４６は、決済情報取得部４０（位置情報取得部４１）が取得したカード情報、カード利用情報、及び位置情報の他に、属性情報管理４３の属性情報管理テーブルＴ１から取得した所定の属性情報、並びに履歴情報管理部４４の履歴情報管理テーブルＴ２から取得した所定の履歴情報（位置履歴情報、カード利用履歴情報、及び他カード利用履歴情報）等の各種情報に基づいて、決済処理情報管理部４５の決済情報管理テーブルＴ３に登録された決済オケージョン情報に対応する決済処理情報を取得する。
【００６６】
決済処理部４７は、決済情報取得部４０が取得したカード利用情報に含まれる商品やサービスの支払金額とカード情報管理部４２に記憶された電子マネー情報とを対比し、済処理情報取得部４６にて決済処理情報が獲得された場合は、かかる決済処理情報に基づいて決済処理を行って、カード情報管理部４２の「電子マネー残高」又は「ポイント残高」等を更新する。なお、商品やサービスの支払金額と電子マネー情報とを対比して、カード情報管理部４２の「電子マネー残高」が商品取引やサービス提供に応じた金額に満たない場合は決済処理を行わない。
【００６７】
例えば、済処理情報取得部４６が決済処理情報として「認証レベル」を取得した場合は、決済処理部４７では、「ユーザＩＤ認証」の場合は、決済情報取得部４０が取得したカード情報（ユーザＩＤ）とカード情報管理部４２に記憶されるカード情報（ユーザＩＤ）とを対比して追加の認証処理を行い、「パスワード認証」及び「生体認証」の場合は、決済端末装置３等を介してパスワード又は生体認証情報の入力を要求した後、カード情報管理部４２に記憶されるカード情報（パスワード情報及び生体認証情報）と対比して追加の認証処理を行う。
【００６８】
また、決済処理情報取得部４６が決済処理情報として「割引率」を取得した場合は、決済処理部４７では、商品やサービスの支払金額を所定の割引率で割り引く処理を行い、済処理情報取得部４６が決済処理情報として「ポイント付与」を取得した場合は、所定の付与率でポイントを付与する処理を行う。
【００６９】
決済処理部４７は、決済済処理情報取得部４６にて決済処理情報が取得されない場合は、決済情報取得部４０が取得したカード利用情報に含まれる商品やサービスの支払金額とカード情報管理部４２に記憶された電子マネー情報とを対比して通常の決済処理を行う。
【００７０】
なお、決済処理部４７では、電子マネーチャージ用ＩＣカード利用機（図略）からのチャージ要求を受けて、カード情報管理部４２に記憶された電子マネー情報を更新して「電子マネー残高」を増加させる処理を行うようにしてもよい。また、決済処理部４７では、決済処理に先立ち、カード情報管理部４２に記憶されるカード情報（カードＩＤ）と決済情報取得部４０が取得したカード情報（カードＩＤ）とを対比して認証処理を行うようにしてもよい。この場合、身分証明情報に基づいて年齢や国籍等のパスポート情報に基づくユーザの身元の特定処理等を行うようにしてもよい。
【００７１】
出力部４８は、決済端末装置３に決済報告（決済処理結果）を送信する。決済報告としては、決済処理が完了した旨の通知や、認証がエラーとなり正常に処理されなかった場合又は電子マネー残高が不足していた場合等、決済処理が完了しなかった旨の通知等が含まれる。また、出力部４８は、決済処理が完了した場合は、決済カード管理会社（本実施例では電子マネー管理会社）の決済サーバ（図略）へ決済報告を送信する。
【００７２】
次に、本実施例の動的決済処理システム１を用いた動的決済処理方法について、以下に説明する。
図１２乃至図１４に示すように、本実施例の動的決済処理方法は、決済カード２を利用して決済を行う場面・状況に関する情報として設定される決済オケージョン情報、及び決済オケージョン情報と対応付けられた決済処理の内容についての情報である決済処理情報が記憶される決済処理情報管理部４５を具備してなる動的決済処理システム１を用いた動的決済処理方法であって、決済カード２を利用した決済に関する情報である決済情報を取得する決済情報取得工程Ｓ１０１と、決済処理情報管理部４５に記憶される決済処理情報から、決済情報取得工程Ｓ１０１にて取得した決済情報等が満たす決済オケージョン情報に対応する決済処理情報を取得する決済処理情報取得工程Ｓ１０３（Ｓ１１０〜Ｓ１１３）と、決済処理情報取得工程Ｓ１０３にて取得した決済処理情報に基づいて決済処理を行う決済処理工程Ｓ１０４（Ｓ１２０〜Ｓ１２７）等とを有してなるものである。
【００７３】
本実施例で用いられる動的決済処理システム１は、上述したように、決済カード２のカード情報記憶部２０に所定のカード情報が記憶され、決済端末装置３の端末識別情報記憶部３２に所定の端末識別情報が記憶される。また、決済処理装置４のカード情報管理部４２に決済カード２のカード情報として「カードＩＤ」とともに、電子マネー情報としての「電子マネー残高」、ポイント情報としての「ポイント残高」等が記憶され、属性情報管理部４３に属性情報としての「エリアコード」が「端末ＩＤ」毎に対応付けられて登録された属性情報管理テーブルＴ１（図３参照）が記憶され、履歴情報管理部４４に「ユーザＩＤ」及び「カードＩＤ」とともに、履歴情報としての「支払金額」等が登録される履歴情報管理テーブルＴ２（図４参照）が記憶され、決済情報管理部４５に決済オケージョン情報として「端末ＩＤ」等が登録され、決済オケージョン情報に対応付けられた決済処理情報として「認証レベル」等の決済処理が登録される決済情報管理テーブルＴ３（図５乃至図１１参照）が記憶される。
【００７４】
決済カード２を利用してユーザが決済を行う際には、例えば、所定の施設内に設置された決済端末装置３にて決済カード２のカード情報が読み取られ、かかる決済端末装置３より決済処置装置４に向けて決済処理要求とともに、カード情報、カード利用情報、及び端末識別情報が送信される。
【００７５】
決済処置装置４は、決済情報取得部４０（位置情報取得部４１）にて、決済端末装置３より送信された決済処理要求を受信し（Ｓ１００）、カード情報、カード利用情報、及び端末識別情報等の決済情報を取得する（Ｓ１０１）。決済情報取得部４０が取得したカード情報、カード利用情報、及び端末識別情報等の決済情報に基づいて、決済処理情報取得部４６及び決済処理部４７にて所定の情報処理が行われる。また、履歴情報管理部４４では、かかるカード利用情報等が履歴情報として履歴情報管理テーブルＴ２（図４参照）に順次記憶される。
【００７６】
決済処置装置４は、後述する決済処理に先立ち、決済処理部４７にて、決済情報取得部４０が取得したカード情報（カード識別情報）とカード情報管理部４２に記憶されるカード情報とを対比して認証処理を行う（Ｓ１０２）。その結果、カード情報管理部４２に記憶されるカード情報と一致するカード情報が抽出されず認証エラーとなった場合は、決済端末装置３に決済処理が完了しなかった旨の通知（決済処理結果）を送信して決済処理を終了する（Ｓ１０６）。
【００７７】
一方、決済処理部４７にて、カード情報管理部４２に記憶されるカード情報と一致するカード情報が抽出されて認証が正常に処理された場合は、位置情報取得部４１にて、決済端末装置３の端末識別情報（端末ＩＤ）を位置情報として取得する。
【００７８】
次いで、決済処置装置４は、決済処理情報取得部４６にて、決済処理情報管理部４５に記憶される決済処理情報から、決済情報取得部４０が取得した決済情報が満たす決済オケージョン情報に対応する決済処理情報を取得し（Ｓ１０３）、かかる決済処理情報に基づいて決済処理を行う（Ｓ１０４）。
【００７９】
ここで、決済処理情報取得工程（Ｓ１０３）、及び決済処理工程（Ｓ１０４）について、以下に詳述する。なお、以下では、決済処理情報として「認証レベル」又は「割引率」が取得される場合について説明する。
【００８０】
図１３に示すように、決済処理情報取得工程（Ｓ１０３）は、決済処理情報取得部４６にて、属性情報管理４３の属性情報管理テーブルＴ１から位置情報取得部４１が取得した位置情報としての端末識別情報に対応する属性情報を抽出し（Ｓ１１０）、及び履歴情報管理部４４の履歴情報管理テーブルＴ２から所定の履歴情報（位置履歴情報、カード利用履歴情報、及び他カード利用履歴情報）を取得する（Ｓ１１１）。
【００８１】
そして、決済情報取得部４０（位置情報取得部４１）が取得したカード情報、カード利用情報、及び端末識別情報とともに、属性情報管理４３の属性情報管理テーブルＴ１から取得した所定の属性情報、並びに履歴情報管理部４４の履歴情報管理テーブルＴ２から取得した所定の履歴情報（位置履歴情報、カード利用履歴情報、及び他カード利用履歴情報）の各種情報に基づいて、決済処理情報管理部４５の決済情報管理テーブルＴ３に登録された決済オケージョンを満たす情報を抽出し、その結果、決済処理情報管理部４５の決済情報管理テーブルＴ３に登録された決済オケージョンを満たす情報が抽出された場合は（Ｓ１１２）、かかる情報が満たす決済オケージョン情報に対応する決済処理情報を取得して、決済処理部４７へと送る（Ｓ１１３）。
【００８２】
例えば、図５を参照して、医療施設エリアＣにてユーザが決済カード２を利用して決済端末装置３（「端末ＩＤ：ＣＣＣ」）にて決済を行う場合は、決済処理情報取得部４６では、属性情報管理テーブルＴ１から取得される端末識別情報（「端末ＩＤ：ＣＣＣ」）に対応する属性情報（「エリアコード：ｃ」）が、決済情報管理テーブルＴ３に登録された決済オケージョン（「エリアコード」）を満たす情報として抽出され、かかる情報が満たす決済オケージョン情報に対応する決済処理情報（「認証レベル：パスワード認証」）が取得される。
【００８３】
また、例えば、図７を参照して、商業施設エリアＢにてユーザが「飲料ＡＡ」を購入する際に決済カード２を利用して決済端末装置３（「端末ＩＤ：ＢＢＢ」）にて決済を行う場合は、決済処理情報取得部４６では、属性情報管理テーブルＴ１から取得される端末識別情報（「端末ＩＤ：ＢＢＢ」）に対応する属性情報（「エリアコード：ｂ」）、及び決済情報取得部４０が取得したカード利用情報（「商品・サービス名：飲料ＡＡ」）が、決済情報管理テーブルＴ３に登録された決済オケージョン（「エリアコード」、「商品・サービス名」）を満たす情報として抽出され、かかる情報が満たす決済オケージョン情報に対応する決済処理情報（「割引率：５％」）が取得される。
【００８４】
なお、決済情報管理テーブルＴ３に登録された決済オケージョンを満たす情報が抽出されない場合は（Ｓ１１２）、その旨を後述する決済処理部４７へと送る。
【００８５】
図１４に示すように、決済処理工程（Ｓ１０４）では、まず、決済処理部４７にて、済処理情報取得部４６にて決済処理情報が取得されない場合は（Ｓ１２０）、決済情報取得部４０が取得したカード利用情報に含まれる商品やサービスの支払金額に基づいて決済金額を確定する（Ｓ１２４）。一方、済処理情報取得部４６にて決済処理情報が取得された場合は（Ｓ１２０）、かかる決済処理情報の内容に従って処理を行う。
【００８６】
例えば、上述したように、済処理情報取得部４６が決済処理情報（「認証レベル：パスワード認証」）を取得した場合は、決済処理部４７では、決済端末装置３を介してパスワードの入力を要求した後、カード情報管理部４２に記憶されるカード情報（パスワード情報）と対比して追加の認証処理を行う（Ｓ１２１）。このとき、決済処理部４７にて認証エラーとなった場合は、決済処理を完了しないままで決済処理結果を確定させる（Ｓ１２７）。
【００８７】
また、例えば、上述したように、済処理情報取得部４６が決済処理情報（「割引率：５％」）を取得した場合は（Ｓ１２２）、決済処理部４７では、商品やサービスの支払金額を所定の割引率で割り引く処理を行って（Ｓ１２３）、決済金額を確定する（Ｓ１２４）。
【００８８】
次いで、決済情報取得部４０が取得したカード利用情報に含まれる商品やサービスの支払金額、又は上記で確定した決済金額とカード情報管理部４２に記憶された電子マネー情報とを対比して（Ｓ１２５）、カード情報管理部４２の「電子マネー残高」が確定した決済金額より多い場合は、「電子マネー残高」を決済金額相当の電子マネー分を減額して更新し（Ｓ１２６）、決済処理結果を確定する（Ｓ１２７）。一方、「電子マネー残高」が確定した決済金額に満たない場合等は、決済処理を完了しないままで決済処理結果を確定する（Ｓ１２７）。
【００８９】
そして、図１２に戻って、決済処理工程（Ｓ１０４）にて確定した決済処理の結果を受けて、出力部４８にて決済端末装置３等に決済報告（決済処理結果）を送信する（Ｓ１０６）。
【００９０】
以上のように、本実施例の動的決済処理システム１は、決済オケージョンに応じて決済処理の内容を変動させる動的決済処理システムであって、決済カード２を利用した決済に関する情報である決済情報を取得する決済情報取得部４０と、決済カード２を利用して決済を行う場面・状況に関する情報として設定される決済オケージョン情報、及び決済オケージョン情報と対応付けられた決済処理の内容についての情報である決済処理情報が記憶される決済処理情報管理部４５と、決済処理情報管理部４５に記憶される決済処理情報から決済情報取得部４０が取得した決済情報が満たす決済オケージョン情報に対応する決済処理情報を取得する決済処理情報取得部４６と、決済処理情報取得部４６が取得した決済処理情報に基づいて決済処理を行う決済処理部４７と、を具備してなるため、決済カード２を利用するユーザの利便性に優れ、かつ利用者にて決済オケージョンに応じた好適な決済サービスを提供できるのである。
【００９１】
すなわち、本実施例の動的決済処理システム１では、決済オケージョン情報、及び決済オケージョン情報と対応付けられた決済処理情報が記憶される決済処理情報管理部４５を有しており、決済処理情報取得部４６にて決済情報が満たす決済オケージョン情報に対応する決済処理情報を取得し、決済処理部４７にてかかる決済処理情報に基づいて決済処理を行うように構成されるため、決済カード２の利用場面や利用状況等の決済オケージョンに応じて決済処理の内容を適切に変動させることができ、決済カード２を利用するユーザの利便性向上やストレス低減に寄与できるとともに、動的決済処理システム１の利用者の立場から見れば、ユーザ囲い込みによるカード決済の利用を推進でき、ユーザに対して多様な決済オケージョンに応じた好適な決済サービスを適宜提供できるようになる。
【００９２】
特に、決済処理情報管理部４５には、決済カード２を利用して決済を行う決済情報の属性に関する情報である属性情報を含む決済オケージョン情報が記憶されており、決済処理情報取得部４６は、決済処理情報管理部４５から属性情報が満たす決済オケージョン情報に対応する決済処理情報を取得するように構成されているため、決済情報をクループ化してそれぞれの決済オケージョンを設定することで、ユーザに対してより好適な決済サービスを提供できる。
【００９３】
また、決済カード２を利用して決済を行う決済情報の属性に関する情報である属性情報が記憶される属性情報管理部４３を具備してなり、決済処理情報管理部４５には、属性情報を含む決済オケージョン情報が記憶されており、決済処理情報取得部４６は、属性情報管理部４３から決済情報取得部４０が取得した決済情報に対応する属性情報を取得し、決済処理情報管理部４５から属性情報が満たす決済オケージョン情報に対応する決済処理情報を取得するように構成されているため、決済情報をクループ化してそれぞれの決済オケージョンを設定することで、ユーザに対してより好適な決済サービスを提供できる。
【００９４】
また、決済処理情報管理部４５には、決済カード２を利用して決済を行う位置に関する情報である位置情報を含む決済オケージョン情報が記憶されており、決済処理情報取得部４６は、決済処理情報管理部４５から位置情報が満たす決済オケージョン情報に対応する決済処理情報を取得するように構成されているため、決済が行われる施設やユーザの移動導線に応じた決済オケージョンを設定することで、ユーザに対してより好適な決済サービスを提供できる。
【００９５】
また、決済処理情報管理部４５には、決済カード２を利用して決済を行う位置に関する履歴情報である位置履歴情報を含む決済オケージョン情報が記憶されており、決済処理情報取得部４６は、決済処理情報管理部４５から位置履歴情報が満たす決済オケージョン情報に対応する決済処理情報を取得するように構成されているため、所定施設への正当な誘引や所定商品・サービスの販売提供促進等が期待でき、ユーザに対してより好適な決済サービスを提供できる。
【００９６】
また、決済処理情報管理部４５には、決済カード２を利用して決済を行うカード利用の内容に関する履歴情報であるカード利用履歴情報を含む決済オケージョン情報が記憶されており、決済処理情報取得部４６は、決済処理情報管理部４５からカード利用履歴情報が満たす決済オケージョン情報に対応する決済処理情報を取得するように構成されているため、所定施設への正当な誘引や所定商品・サービスの販売提供促進等が期待でき、ユーザに対してより好適な決済サービスを提供できる。
【００９７】
また、決済処理情報管理部４５には、他の決済カードを利用して決済を行うカード利用の内容に関する履歴情報である他カード利用履歴情報を含む決済オケージョン情報が記憶されており、決済処理情報取得部４６は、決済処理情報管理部４５から他カード利用履歴情報が満たす決済オケージョン情報に対応する決済処理情報報を取得するように構成されているため、所定施設への正当な誘引や所定商品・サービスの販売提供促進等が期待でき、ユーザに対してより好適な決済サービスを提供できる。
【００９８】
なお、動的決済処理システム１の構成としては、上述した実施例に限定されず、本発明の目的を逸脱しない限りにおいて種々の変更が可能である。以下に示す実施例では、上記実施例と符号が同じものは特に言及する場合を除いて同一に構成され、詳細な説明は省略する。
【００９９】
すなわち、上述した実施例の動的決済処理システム１（図１等参照）は、決済処理情報管理部４５に記憶される決済オケージョン情報として、位置情報をはじめ各種の情報が設定されるが（図５乃至図１１参照）、かかる決済オケージョン情報はこれに限定されず、例えば、図１５に示す実施例の動的決済処理システム１００のように、決済情報取得手段として決済情報取得部４０に設けられ、決済カード２を利用した決済に影響を及ぼす環境因子に関する情報である環境因子情報を決済情報として取得する環境因子情報取得部４９を有してなり、決済処理情報管理４５には、かかる環境因子情報を含む決済オケージョン情報が記憶され、決済処理情報取得部４６は、決済処理情報管理部４５から環境因子情報が満たす決済オケージョン情報に対応する決済処理情報を取得するように構成されてもよい。
【０１００】
環境因子情報は、決済カード２を利用した決済に影響を及ぼす環境因子に関する情報であり、本実施例の環境因子取得部４９は、外部のデータベース、Ｗｅｂサイト、ソーシャルメディア等の外部情報システム６より入手される情報を環境因子情報として取得する。環境因子情報としては、例えば、決済時の天気（予報）、株価、変動する数値の大小関係を比率などの形にして表した指標としての○○指数（例えば、消費者物価指数、暑さ指数等）、ソーシャル指標（例えば、検索数、動画閲覧数、訪問者数、口コミ数、投稿・コメント数、リンク数、リツイート数、リード数、会話のシェア数等）に関する情報が挙げられる。
【０１０１】
例えば、図１６に一例として示すように、本実施例の決済処理情報管理部４５に記憶される決済情報管理テーブルＴ３には、「エリアコード：ｂ」、「商品名：飲料ＢＢ」及び「天気：晴れ」の決済オケージョン情報に対応する決済処理情報として「割引率：５％」が設定され、「エリアコード：ｂ」、「商品名：飲料ＢＢ」及び「天気：曇り」の決済オケージョン情報に対応する決済処理情報として「割引率：８％」が設定され、「エリアコード：ｂ」、「商品名：飲料ＢＢ」及び「天気：雨」の決済オケージョン情報に対応する決済処理情報として「割引率：１０％」が設定されている。このように、環境因子情報を含む決済オケージョン（「エリアコード」、「商品名」、「天気」）に応じて異なる決済処理（「割引率」）が設定されてもよく、かかる場合には、決済カード２を利用するユーザは、商業施設エリアＢで同じ飲料ＢＢを購入する場合であっても天気の変化に応じて異なる特典（割引）を受けることができる。
【０１０２】
また、上述した実施例の動的決済処理システム１（図１等参照）は、決済オケージョンに応じて決済処理の内容を変動させる決済処理システムとしてその他の多様な決済サービスに適用することができ、例えば、カジノを含む統合型リゾートで外国人旅行者向けに提供される決済サービスの決済処理システムとして好ましく構成できる。一例として、図１７乃至図１９に示す実施例の動的決済処理システム２００では、カジノを含む統合型リゾートとして、観光施設、ホテル・量販店・レストラン・コンビニエンスストアの商業施設、医療施設、バスや鉄道等があるインフラ施設、及びカジノ施設等で決済を行う際に、決済オケージョンに応じて決済処理の内容を変動させる決済処理システムとして構成されている。
【０１０３】
現在わが国では、観光及び地域経済の振興に寄与するとともに、税収により地方公共団体の財政改善に資するとして、いわゆるＩＲ（Ｉｎｔｅｇｒａｔｅｄ  Ｒｅｓｏｒｔ）の本格導入へ向けた議論が進められているところである。このＩＲとは、カジノ施設、レクリエーション施設、ＭＩＣＥ（会議場施設ならびに展示施設等）、エンターテイメント施設、及び宿泊施設等の観光振興に寄与すると認められる施設が一体となっている複合観光施設の総称であり、特に、２０２０年の東京オリンピック開催の決定を受けて、インバウンドツーリズム（外国人旅行者）の囲い込みによる観光収益向上の機運も高まりつつある中、交通・通信等の各種インフラ整備も含めたカジノを含む統合型リゾート関連事業の推進が期待され、日本国の成長戦略に資する観光産業の一助になるとされている。
【０１０４】
このような統合型リゾートにおいて、カジノ施設のみならず、日本国内の他の一般商業施設や交通インフラ、公共インフラにて決済を行う際に、決済オケージョンに応じて好適な決済サービスを受けることができる決済処理システムを構築することができれば、外国人旅行者にとって利便性が向上し、カジノを含む統合型リゾートへ外国人旅行者を自然誘致することができるとともに、外国人旅行者の滞在中に要する生活や移動においてストレスの無い多様なサービスを提供できるものと期待される。すなわち、外国人旅行者の観光動線の多様化に対応したシームレスな電子マネー決済システムを構築することで、インバウンド戦略と並行して整備しなければならない日本国内の「おもてなしサービス」に資するものとして、観光産業並びに地域経済の振興に多大に貢献できるものと期待される。
【０１０５】
本実施例の決済端末装置３は、観光施設エリアＡのカウンタ等上述した実施例と同様の配置に加えて、カジノ施設がある区域としてのカジノ施設エリアＥにてカウンタやゲーム機等に設置され、カジノ施設に設置されるカジノ施設装置７を構成する入退場装置７０、カジノゲーム機用の遊技金購入装置７１、テーブルゲーム機用のチップ購入装置７２、及び賞金払戻装置７３等と接続される（図１９参照）。
【０１０６】
入退場装置７０は、カジノ施設の入退場口に設置され、カジノ施設への入場の際に入場料を徴収するための装置である。入退場装置７０に接続された決済端末装置３により、入場料の支払いが電子マネーにて決済可能とされる。
【０１０７】
遊技金購入装置７１は、スロットマシン、ポーカーマシン、ダイスマシン、ダーツマシンのようにゲームを電子式や機械式で行うゲーム機にて使用する遊技金（コイン、紙幣、プリペイドカード等）を購入するための装置であり、また、チップ購入装置７２は、テーブルゲームのように遊技金を直接取扱わないゲーム機にて使用するチップやメダル等を購入するための設置である。遊技金購入装置７１及びチップ購入装置７２に接続された決済端末装置３により、遊技金やチップの購入の際のゲーム対価の支払いが電子マネーにて決済可能とされる。
【０１０８】
賞金払戻装置７３は、ゲーム機にてコインや紙幣の他、獲得賞金の総額を表す情報が記録されたチケットやクーポン等の形式で発行された獲得賞金の払い戻しを受けるための装置である。賞金払戻装置５３に接続された決済端末装置３により、賞金の払い戻しが電子マネーにて決済可能とされ、コインやチケット等の賞金総額に対応する額の電子マネーが電子マネー情報としてカード情報管理部４２に記憶される。
【０１０９】
また、本実施例の決済処理装置４は、上述した実施例（図１参照）の構成に加えて、カジノ決済管理部５０、カジノ事業者税徴収管理部５１、及び利用者税徴収管理５２等が設けられている。
【０１１０】
カジノ決済管理部５０は、決済処理部４７にて決済処理されたゲーム対価の支払いに応じた支払金情報及び賞金払い戻しに基づく払戻金情報を記憶するものである。カジノ決済管理部５０では、ユーザの支払いや賞金だけでなく、ゲーム機毎の遊技金や賞金等の履歴等、カジノ施設の運営を規制する当局（国、地方公共団体、又は各地の公安委員会やゲーム規制委員会等）の定める事項が管理されて記憶される。このように、カジノ決済管理部５０にて各種情報が管理されることで、例えば、当局に対する報告義務を適正に履行するなどして、カジノ施設の健全性を担保できる。
【０１１１】
カジノ事業者税徴収管理部５１は、カジノ決済管理部５０に記憶された支払金情報及び払戻金情報に基づいてカジノ事業者が国又は地方公共団体に納付すべきカジノ税額を演算して記憶するものである。このカジノ税額は、支払金及び払戻金に国又は地方公共団体が定めるカジノ税率を掛け合わせて演算処理することで決定される。カジノ税としては、国又は地方税の他に、例えば、地域還元資金として利用するために徴収されるものや、外国人旅行者に対するインバウンド事業者等に提供されるＣＳＲ事業費用として徴収されるものなどが含まれてもよい。
【０１１２】
一例を紹介すると、フランスのアンギャンレバン市では、実際にカジノ税を地域に還元する取り組みが行われている。アンギャンレバン市は、「ユネスコ創造都市ネットワーク」にも選定される等、市の総予算の１３％を文化事業に充てており、その中で、主にカジノ税を環境美化、建築物保存、及び教育施設の拡充等の地域の安全・安心に資する事業資金として地域に還元している。そして、調査によると、カジノ事業者や市民において、カジノ税が地域の教育や街づくりに寄与し、健やかな発展の一助になっているという意識を持っているという報告もなされている。事実、アンギャンレバン市は、フランスで最も美しい町の一つとして認知されつつあり、治安も良く、さらには住宅地の土地価格がヴァルドワーズ県内で最も高いなど、パリ北部の郊外都市のうちで特別な地位を占めるに至っており、カジノ施設を中心としたブランディングの成果を上げているという実態がある。
【０１１３】
カジノ事業者税徴収管理部５１では、例えば、カジノ施設でユーザがゲーム対価として支払った支払金総額に対する定率にカジノ税が規定されている場合は、カジノ決済管理部５０から支払金総額に関する支払金情報を読み出して、カジノ税額を演算する。また、例えば、カジノ施設でユーザがゲーム対価として支払った支払金と賞金として受け取った払戻金との差額に対する定率にカジノ税が規定されている場合は、カジノ決済管理部５０から支払金に関する支払金情報と払戻金に関する払戻金情報をそれぞれ読み出して、その差額よりカジノ税額を演算する。
【０１１４】
このように、カジノ事業者税徴収管理部５１にてカジノ税額が適正に管理されることで、カジノ事業者からの適正な税徴収が可能となり、国又は地方公共団体の財政改善に寄与できる
【０１１５】
なお、カジノ事業者税徴収管理部５１は、管轄する地方公共団体等の通信制御部と通信ネットワークを介して接続されて、管理されているカジノ税額が閲覧可能とされてもよく、また国又は地方公共団体の定める所定銀行の振込口座にネットワークを介して接続されて、カジノ税額をオンラインで納付可能とされてもよい。
【０１１６】
利用者税徴収管理部５２は、決済処理部４７にて決済処理された払戻金が所定額以上の場合に、ユーザが国又は地方公共団体に納付すべき税額を演算して記憶するものである。ユーザが国又は地方公共団体に納付すべき税額は、払戻金に国又は地方公共団体が定める所定税率を掛け合わせて演算処理することで決定される。このように、利用者税徴収管理部５２にてカジノ利用者からの適正な税徴収を可能とすることで、国又は地方公共団体の財政改善に寄与できる。
【０１１７】
本実施例の動的決済処理システム２００は、上述した実施例と同様の一般的な決済処理に加えて、カジノ施設におけるカジノサービスで発生したゲーム対価の支払い又は賞金払い戻し等の際に、例えば、カジノ施設エリアにおける決済において電子マネーの利用枠（上限額）を変更する処理、カジノ施設でのゲーム機で発生した賞金払い戻しの利率を変更する処理、及びカジノ施設でのゲーム機で発生した払戻金に基づくユーザが国又は地方公共団体に納付する税率を変更する処理等が行われる。
【０１１８】
属性情報管理４３に記憶される属性情報管理テーブルＴ１（図略）には、観光施設エリアＡ、商業施設エリアＢ、医療施設エリアＣ、インフラ施設エリアＤ、及びカジノ施設エリアＥ等の各施設エリアＡ〜Ｅ内に設置される決済端末装置３が当該区域に設置されていることを示す属性情報としての「エリアコードａ〜ｅ」が「端末ＩＤ」毎に対応付けられて登録される。
【０１１９】
済処理情報管理部４５に記憶される決済情報管理テーブルＴ３（図略）には、決済処理情報として、電子マネーの利用枠（上限額）を示す「電子マネー利用枠」、カジノ施設でのゲーム機で発生した賞金払い戻しの利率を示す「賞金払い戻し利率」、及びジノ施設でのゲーム機で発生した払戻金に基づくユーザが国又は地方公共団体に納付する税率を示す「納付税率」等の決済処理の内容が登録される。このように、決済処理情報が電子マネーの利用枠を変更する処理を含むことで、例えば、カジノ施設でのみ電子マネーの利用枠を拡大するようにすれば、通常施設での決済時のユーザ保護策及びマネーロンダリング防止策を担保しながら、カジノ利用者の利便性を向上できる。
【０１２０】
例えば、図２０に示す決済情報管理テーブルＴ３には、「エリアコード：ｂ」の決済オケージョン情報に対応する決済処理情報として「電子マネー利用枠：５万円」が設定され、「エリアコード：ｅ」の決済オケージョン情報に対応する決済処理情報として「電子マネー利用枠：２５万円」が設定される。かかる場合は、商業施設エリアＢで決済カード２を利用するユーザは、電子マネーの利用枠（上限額）が５万円であるが、カジノ施設エリアＥで決済カード２を利用する場合は２５万円に変更されて拡大される。
【０１２１】
また、図２１に示す決済情報管理テーブルＴ３には、「端末ＩＤ：ＥＦＥ」の決済オケージョン情報に対応する決済処理情報として「賞金払い戻し利率：３％」が設定され、「端末ＩＤ：ＥＦＥ→ＥＦＦ」の決済オケージョン情報に対応する決済処理情報として「賞金払い戻し利率：５％」が設定され、「端末ＩＤ：ＥＦＥ→ＥＦＦ→ＥＦＧ」の決済オケージョン情報に対応する決済処理情報として「賞金払い戻し利率：８％」が設定される。かかる場合は、決済カード２を利用するユーザは、カジノ施設エリアＥの特定のゲーム機（端末ＩＤ：ＥＦＥ）で発生した賞金払い戻しに基づく払戻金を決済する場合は賞金払い戻し利率３％の特典を受けることができ、同じ施設内で連続して異なるゲーム機（端末ＩＤ：ＥＦＥ→ＥＦＦ）で発生した賞金払い戻しに基づく払戻金を決済する場合は賞金払い戻し利率５％の特典を、さらに連続して異なるゲーム機（端末ＩＤ：ＥＦＥ→ＥＦＦ→ＥＦＧ）で発生した賞金払い戻しに基づく払戻金を決済する場合は賞金払い戻し利率８％の特典を受けることができる。
【０１２２】
また、図２２に示す決済情報管理テーブルＴ３には、「端末ＩＤ：ＥＦＥ」の決済オケージョン情報に対応する決済処理情報として「納付税率：１％」が設定され、「端末ＩＤ：ＥＦＧ」の決済オケージョン情報に対応する決済処理情報として「納付税率：０．５％」が設定される。かかる場合は、決済カード２を利用するユーザは、カジノ施設エリアＥの特定のゲーム機（端末ＩＤ：ＥＦＥ）で発生した払戻金に基づく国又は地方公共団体に納付する税の税率が１％であるが、異なるゲーム機（端末ＩＤ：ＥＦＧ）の場合は税率が０．５％となる特典を受けることができる。
【０１２３】
決済処理装置４による決済処理の流れは上述した実施例（図１等参照）と同様であるが、特に、カジノサービスで発生した賞金の払い戻し決済をする場合は、所定の案内カウンタ等に設置された賞金払戻装置７３（図１９参照）を介して決済端末装置３に決済カード２が接続された状態で、決済処理部４７にて賞金の払い戻しに応じた電子マネーを増額する決済処理を行い、カード情報管理部４２の「電子マネー残高」を払戻金額相当の電子マネー分を増額して更新する。
【０１２４】
そして、決済処理部４７にて決済処理された払戻金が所定額以上の場合には、利用者税徴収管理部５２にて利用者が国又は地方公共団体に納付すべき税額が記憶される。また、決済処理部４７によるゲーム対価の支払い及び賞金払い戻しの一連の決済処理に伴って、ゲーム対価の支払いに応じた支払金情報及び賞金払い戻しに基づく払戻金情報をカジノ決済管理部５０に記憶し、カジノ事業者税徴収管理部５１にてカジノ決済管理部５０に記憶された支払金情報及び払戻金情報に基づいてカジノ事業者が国又は地方公共団体に納付すべきカジノ税額が記憶される。
【０１２５】
以上のように動的決済処理システム２００は、カジノを含む統合型リゾートで外国人旅行者向けに提供される決済サービスの決済処理システムとして構成されるため、ＩＲ及びインバウンド戦略の基盤となる金融オペレーションをコントロールして、外国人旅行者の利便性向上やストレス低減に寄与するとともに、カジノを含む統合型リゾートの「安全・安心」な運営が可能となる。
【０１２６】
上述した実施例（図１、図１５、及び図１７参照）では、主に、決済カード２を電子マネーカードとして利用する場合について説明したが、決済カード２の種類としてはこれに限定されず、例えば、クレジットカード、デビッドカード、及びポイントカード等として構成されてもよい。クレジットカードやデビッドカード等として構成する場合は、カードＩＤの他に、カードの種類の情報、カードの有効期限の情報等のカード識別情報を有している。
【０１２７】
上述した実施例（図１、図１５、及び図１７参照）では、決済カード２に電子マネー情報を有さず、決済処理装置４にて電子マネー情報の管理・決済処理を行うように構成されているが、公知の決済カードと同様に、カード情報として決済カード内のＩＣチップに貨幣価値をデジタルデータ化した電子マネー情報を有するようにしてもよい。
【０１２８】
上述した実施例（図１、図１５、及び図１７参照）では、決済カード２として単一の電子マネー種を利用する場合について説明したが、例えば、複数の電子マネー種を利用可能としてもよく、かかる場合は、複数の電子マネー種毎に対応するカード識別情報に電子マネー情報が対応付けられて決済処理装置４等に記憶される。
【０１２９】
上述した実施例（図１、図１５、及び図１７参照）では、決済処理装置４がＷｅｂサーバ、アプリケーションサーバ及びデータベースサーバ等が１つの装置で構成されている場合について説明したが、それぞれ個別のサーバ装置で構成されてもよい。
【符号の説明】
【０１３０】
１    動的決済処理システム
２    決済カード
３    決済端末装置
４    決済処理装置
１０  通信ネットワーク
２０  カード情報記憶部
３０  カード情報取得部
３１  カード利用情報取得部
３２  端末識別情報記憶部
４０  決済情報取得部（決済情報取得手段）
４１  位置情報取得部
４２  カード情報管理部
４３  属性情報管理部（属性情報管理手段）
４４  履歴情報管理部
４５  決済処理情報管理部（決済処理情報管理手段）
４７  決済処理情報取得部（決済処理情報取得手段）
４６  決済処理部（決済処理手段）
４８  出力部
【図１】
2020198091.tif 000003
【図２】
2020198091.tif 000004
【図３】
2020198091.tif 000005
【図４】
2020198091.tif 000006
【図５】
2020198091.tif 000007
【図６】
2020198091.tif 000008
【図７】
2020198091.tif 000009
【図８】
2020198091.tif 000010
【図９】
2020198091.tif 000011
【図１０】
2020198091.tif 000012
【図１１】
2020198091.tif 000013
【図１２】
2020198091.tif 000014
【図１３】
2020198091.tif 000015
【図１４】
2020198091.tif 000016
【図１５】
2020198091.tif 000017
【図１６】
2020198091.tif 000018
【図１７】
2020198091.tif 000019
【図１８】
2020198091.tif 000020
【図１９】
2020198091.tif 000021
【図２０】
2020198091.tif 000022
【図２１】
2020198091.tif 000023
【図２２】
2020198091.tif 000024